(57)【要約】【課題】  使用時の転写操作を安定して行うことができ、転写テープの片浮きによる転写不良を効果的に防止することができるようにする。【解決手段】  ケース本体１を、底面１ａが紙などの被転写面Ｐに対して易滑性の平坦な摺動面をなすようにして、掌の中に抱持可能なマウス型の外周形状とする。ケース本体１の前端開口７に、前端に転写ヘッド１４が上下しうるように設けられたヘッド部材９を、使用時に、操作部材１７の回動操作に連動させて、転写ヘッド１４が被転写面Ｐに対する浮上状態から、被転写面Ｐに向けて当接し押圧しうるように変動させて、転写テープ２Ａの塗膜を被転写面Ｐに転写可能にするとともに、不使用時には、操作部材１７の回動操作を開放することにより、転写ヘッド１４が被転写面Ｐから浮上した状態に復帰させて、転写ヘッド１４による被転写面Ｐへの転写を中止しうるようにする。【選択図】    図１
2009255330.tif 000002
【特許請求の範囲】
【請求項１】
ケース本体内に、供給リールの歯車と巻取リールの歯車とを互いに歯合させて設けるとともに、供給リールに巻回した転写テープを、ケース本体の前端開口に設けた転写ヘッドを経て、巻取リールに巻き取るように転写機構が組み付けられた塗膜転写具において、
ケース本体を、底面が被転写面に対して易滑性の平坦な摺動面をなすようにして、掌の中に抱持可能なマウス型の外周形状とするとともに、前記前端開口に、前端に転写ヘッドを設けたヘッド部材を、転写ヘッドが上下しうるように設け、かつ
ヘッド部材を、使用時には、ケース本体の前部上面に左右方向の軸回りに回動可能に軸支した操作部材の回動操作に連動させて、転写ヘッドが、被転写面に対する浮上状態から、被転写面に向けて当接し押圧しうるように変動させて、転写テープの塗膜を被転写面に転写可能にするとともに、不使用時には、操作部材の回動操作を開放することにより、転写ヘッドが被転写面から浮上した状態に復帰させて、転写ヘッドによる被転写面への転写を中止しうるようにしたことを特徴とする塗膜転写具。
【請求項２】
ヘッド部材を、ケース本体の前端開口から前方に向けて突出する左右のヘッド側板間に、転写ヘッドが上下しうるように回動可能に軸支し、ばねの付勢力により、転写ヘッドが浮上した状態に弾性復帰しうる方向に、常時付勢するとともに、ヘッド側板の後端に、操作部材における軸支部から下方に延びる延出部の外周端面を摺接させ、使用時に、操作部材を左右方向の軸回りに回動操作することにより、ヘッド部材を、ばねの付勢力に抗して、転写ヘッドが下向きに移動するように回動可能とし、かつ不使用時に、操作部材の回動操作を開放することにより、ヘッド部材を、ばねの付勢力をもって、転写ヘッドが上向きに移動して回動復帰しうるようにした請求項１記載の塗膜転写具。
【請求項３】
操作部材に、後方に延びる作動杆の前端を枢着し、かつその後端に設けた爪部を供給リールまたは巻取リールの歯車に係合させるとともに、使用時に、操作部材を左右方向の軸回りに回動操作することにより、作動杆を後方に向けて移動させて、前記歯車を供給リールのテープ供給方向または巻取リールのテープ巻取方向に回動させ、転写テープが転写ヘッドに向けて繰出されるようにし、かつ不使用時に、操作部材の回動操作を開放することにより、作動杆が前方に向けて移動して復帰しうるようにした請求項１または２記載の塗膜転写具。
【請求項４】
不使用時に、操作部材の回動操作を開放することにより、供給リールのテープ供給方向または巻取リールのテープ巻取方向に対する逆回動を阻止するための逆転防止機構が作用するようにした請求項１〜３のいずれかに記載の塗膜転写具。
【請求項５】
互いに噛合された供給リール用の第１歯車と巻取リール用の第２歯車とが設けられ、かつ前端を開口させた前部上面に左右方向の軸回りに回動可能に操作部材が軸支されたカートリッジ収容ケース本体と、このカートリッジ収容ケース本体内に着脱可能に装填され、かつ被転写面への転写機構が備えられた転写カートリッジとを有し、
前記カートリッジ収容ケース本体は、底面が被転写面に対して易滑性の平坦な摺動面をなすようにして、掌の中に抱持可能なマウス型の外周形状とするとともに、
前記転写カートリッジは、前端に転写ヘッドが設けられ、かつこの転写ヘッドが上下しうるように設けられるとともに、前記カートリッジ収容ケース本体の前端開口から外部に向け突出させたヘッド部材と、前記第１歯車に装填され、かつ転写テープが巻回された供給リールと、前記第２歯車に装填され、かつ前記供給リールに巻回された転写テープを前記ヘッド部材の転写ヘッドを経て巻き取る巻取リールとにより構成した転写機構を備え、
前記ヘッド部材を、使用時に、前記操作部材の回動操作に連動させて、転写ヘッドを被転写面に対する浮上状態から、被転写面に向けて当接し押圧しうるように変動させることにより、転写テープの塗膜を被転写面に転写可能にし、かつ不使用時に、操作部材の回動操作を開放することにより、転写ヘッドが被転写面から浮上した状態に復帰させて、転写ヘッドによる被転写面への転写を中止しうるようにしたことを特徴とする塗膜転写具。
【請求項６】
操作部材の回動操作に、供給リールまたは巻取リールのいずれか一方を、転写テープが転写ヘッドに向けて繰出されるように回動可能に連係させた請求項５記載の塗膜転写具。
【請求項７】
転写ヘッドにクッション機構を付与し、このクッション機構をもって、使用時における操作部材の回動操作に伴う被転写面への下向きの過度の押圧動作に弾性的に応動しうるようにした請求項１〜６のいずれかに記載の塗膜転写具。
【発明の詳細な説明】
【技術分野】
【０００１】
本発明は、修正塗膜や糊塗膜などを、被転写面に転写するための塗膜転写具に関する。
【背景技術】
【０００２】
塗膜転写具は、ケース本体内に、供給リールと巻取リールとを設け、供給リールに巻回した転写テープを、ケース本体の開口から突出させた転写ヘッドを経て、巻取リールに巻き取るようにしたものが公知である（例えば、特許文献１、２参照）。
【０００３】
しかし、特許文献１、２に記載の塗膜転写具は、使用時に、主としてケース本体の後半部だけを握って転写操作を行った場合、ケース本体が、必然的に浅く握られ、力点が後方になる。
そのため、ケース本体がぐらついて、転写操作が不安定になり、転写テープの浮きが生じ易く、転写不良の要因になる場合がある。
【０００４】
また、従来の塗膜転写具としては、ケース本体の前端部に、転写ヘッドを覆うヘッドキャップを設け、このヘッドキャップを、転写ヘッドを覆う状態の前進位置と、転写ヘッドを露出させる状態の後退位置との間で前後方向に摺動自在に設けるとともに、ばねによって前進位置の方向に付勢したものが公知である（例えば、特許文献３参照）。
【０００５】
前記した特許文献３に記載の塗膜転写具は、使用時に、ヘッドキャップを、転写時の被転写面に対する押圧作用により、ばねの付勢力に抗してケース本体内に後退しうるようにスライドさせて、転写テープを転写ヘッドと共に露出させるようになっているとともに、不使用時においては、ヘッドキャップを、ばねの付勢力により、前進させて転写ヘッドを覆い、これによって、転写テープを保護するとともに、誤って他の個所に塗膜が転写されるのを防止している。
【０００６】
しかし、このような塗膜転写具では、使用時に、転写ヘッドを被転写面に押圧しながら後方に向けてスライドさせた際に、被転写面と転写テープに塗布された塗膜間に生じる摩擦抵抗により、供給リールから転写テープを引き出すようになっていることから、転写中、供給リールに巻回された転写テープの層間における塗膜の粘着力による摩擦抵抗により、供給リールと転写ローラ間の転写テープに引張力が作用し、転写テープが伸びた状態となって引き出される。
そのため、転写終了後に、転写ヘッドを被転写面から離すと、伸びた転写テープが復元しうるように収縮し、供給リールの方向に戻ってしまい、転写ローラ上には、塗膜が剥離されたテープが残り、次の使用開始時に、転写ヘッドに、転写テープの塗膜切れが生じ、転写ヘッドを被転写面に押し付けても、テープ上に塗膜がないため、被転写面に、テープ戻り分に応じた非転写部が生じたり、空滑りの要因となるという問題があった。
【特許文献１】特開２０００−０２６０１４号公報
【特許文献２】特開２０００−０３７９９１号公報
【特許文献３】特開２００４−２６８３２２号公報
【発明の開示】
【発明が解決しようとする課題】
【０００７】
本発明は、前記の現状に鑑み、使用時の転写操作を安定して行うことができ、転写テープの片浮きによる転写不良を効果的に防止することができるようにするとともに、好ましくは、毎回の使用開始時に、転写ヘッドにおける転写テープの塗膜切れによる被転写面への非転写部の発生を効果的に防止し、かつ空滑りをなくすことができるようにした塗膜転写具を提供することを目的とする。
【課題を解決するための手段】
【０００８】
上記課題は、「特許請求の範囲」における各請求項に記載するように、次のような構成からなる発明によって解決される。
【０００９】
（１）  ケース本体内に、供給リールの歯車と巻取リールの歯車とを互いに歯合させて設けるとともに、供給リールに巻回した転写テープを、ケース本体の前端開口に設けた転写ヘッドを経て、巻取リールに巻き取るように転写機構が組み付けられた塗膜転写具において、ケース本体を、底面が被転写面に対して易滑性の平坦な摺動面をなすようにして、掌の中に抱持可能なマウス型の外周形状とするとともに、前記前端開口に、前端に転写ヘッドを設けたヘッド部材を、転写ヘッドが上下しうるように設け、かつ使用時には、ヘッド部材を、ケース本体の前部上面に左右方向の軸回りに回動可能に軸支した操作部材の回動操作に連動させて、転写ヘッドが、被転写面に対する浮上状態から、被転写面に向けて当接し押圧しうるように変動させて、転写テープの塗膜を被転写面に転写可能にするとともに、不使用時には、操作部材の回動操作を開放することにより、転写ヘッドが被転写面から浮上した状態となるように復帰させて、転写ヘッドによる被転写面への転写を中止しうるようにする。
【００１０】
（２）  上記（１）項において、ヘッド部材を、ケース本体の前端開口から前方に向けて突出する左右のヘッド側板間に、転写ヘッドが上下しうるように回動可能に軸支し、ばねの付勢力により、転写ヘッドが浮上した状態に弾性復帰しうる方向に、常時付勢するとともに、ヘッド側板の後端に、操作部材における軸支部から下方に延びる延出部の外周端面を摺接させ、使用時に、操作部材を左右方向の軸回りに回動操作することにより、ヘッド部材を、ばねの付勢力に抗して、転写ヘッドが下向きに移動するように回動可能とし、かつ不使用時に、操作部材の回動操作を開放することにより、ヘッド部材を、ばねの付勢力をもって、転写ヘッドが上向きに移動して回動復帰しうるようにする。
【００１１】
（３）  上記（１）項または（２）項において、操作部材に、後方に延びる作動杆の前端を枢着し、かつその後端に設けた爪部を供給リールまたは巻取リールの歯車に係合させるとともに、使用時に、操作部材を左右方向の軸回りに回動操作することにより、作動杆を後方に向けて移動させて、前記歯車を供給リールのテープ供給方向または巻取リールのテープ巻取方向に回動させ、転写テープが転写ヘッドに向けて繰出されるようにし、かつ不使用時に、操作部材の回動操作を開放することにより、作動杆が前方に向けて移動して復帰しうるようにする。
【００１２】
（４）  上記（１）〜（３）項のいずれかにおいて、不使用時に、操作部材の回動操作を開放することにより、供給リールのテープ供給方向または巻取リールのテープ巻取方向に対する逆回動を阻止するための逆転防止機構が作用するようにする。
【００１３】
（５）  互いに噛合された供給リールの第１歯車と巻取リールの第２歯車とが設けられ、かつ前端を開口させた前部上面に左右方向の軸回りに回動可能に操作部材が軸支されたカートリッジ収容ケース本体と、このカートリッジ収容ケース本体内に着脱可能に装填され、かつ被転写面への転写機構が備えられた転写カートリッジとを有し、前記カートリッジ収容ケース本体は、底面が被転写面に対して易滑性の平坦な摺動面をなすようにして、掌の中に抱持可能なマウス型の外周形状とするとともに、前記転写カートリッジは、前端に転写ヘッドが設けられ、かつこの転写ヘッドが上下しうるように設けられるとともに、前記カートリッジ収容ケース本体の前端開口から外部に向け突出させたヘッド部材と、前記第１歯車に装填され、かつ転写テープが巻回された供給リールと、前記第２歯車に装填され、かつ供給リールに巻回された転写テープを前記転写ヘッドを経て巻き取る巻取リールとにより構成した転写機構を備え、ヘッド部材を、使用時に、前記操作部材の回動操作に連動させて、転写ヘッドを被転写面に対する浮上状態から、被転写面に向けて当接し押圧しうるように変動させることにより、転写テープの塗膜を被転写面に転写可能にし、かつ不使用時に、操作部材の回動操作を開放することにより、転写ヘッドが被転写面から浮上した状態に復帰させて、転写ヘッドによる被転写面への転写を中止しうるようにする。
【００１４】
（６）  上記（５）項において、操作部材の回動操作に、供給リールまたは巻取リールのいずれか一方を、転写テープが転写ヘッドに向けて繰出されるように回動可能に連係させる。
【００１５】
（７）  上記（１）〜（６）項のいずれかにおいて、転写ヘッドに、使用時における操作部材の回動操作に伴う被転写面への下向きの負荷に対して、転写ヘッドが弾性的に応動しうるためのクッション機構を付与する。
【発明の効果】
【００１６】
本発明によると、各請求項に記載の発明においては、次のような効果がそれぞれ奏せられる。
【００１７】
請求項１記載の発明によると、ケース本体を、底面が被転写面に対して易滑性の平坦な摺動面をなすようにして、掌の中に抱持可能なマウス型の外周形状としてあるため、被転写面に対する摺動操作を円滑に行うことができるとともに、ケース本体を掌にフィットさせて握持することができ、これにより、使用時の転写操作を安定して行うことができる。
また、ケース本体の前端開口に、前端に転写ヘッドを設けたヘッド部材を、転写ヘッドが上下しうるように設け、かつ使用時には、ヘッド部材を、ケース本体の前部上面に左右方向の軸回りに回動可能に軸支した操作部材の回動操作に連動させて、転写ヘッドが、被転写面に対する浮上状態から、被転写面に向けて当接し押圧しうるように変動させて、転写テープの塗膜を被転写面に転写可能にしてあるため、使用時に、操作部材を回動操作する際に、ケース本体が、掌により必然的に深く握られ、力点が前方になる。
これにより、ケース本体がぐらつくことがなく、転写作業を安定して行えるとともに、転写テープの片浮きによる転写不良を効果的に防止することができる。
また、不使用時には、操作部材の回動操作を開放することにより、転写ヘッドが被転写面から浮上た状態に復帰させて、転写ヘッドによる被転写面への転写を中止しうるようにしてあるため、誤って他の個所に塗膜が転写されるのを防止することができる。
【００１８】
請求項２記載の発明によると、ヘッド部材を、ケース本体の前端開口から前方に向けて突出する左右のヘッド側板間に、転写ヘッドが上下しうるように回動可能に軸支し、ばねの付勢力により、転写ヘッドが浮上した状態に弾性復帰しうる方向に、常時付勢するとともに、ヘッド側板の後端に、操作部材における軸支部から下方に延びる延出部の外周端面を摺接させ、使用時に、操作部材を左右方向の軸回りに回動操作することにより、ヘッド部材を、ばねの付勢力に抗して、転写ヘッドが下向きに移動するように回動可能とし、かつ不使用時に、操作部材の回動操作を開放することにより、ヘッド部材を、ばねの付勢力をもって、転写ヘッドが上向きに移動して回動復帰しうるようにしてあるため、使用時の転写作業を安定して行えるとともに、転写作業の中止時に、誤って他の個所に塗膜が転写されるのを防止することができる。
【００１９】
請求項３記載の発明によると、操作部材に、後方に延びる作動杆の前端を枢着し、かつその後端に設けた爪部を供給リールまたは巻取リールの歯車に係合させるとともに、使用時に、操作部材を左右方向の軸回りに回動操作することにより、作動杆を後方に向けて移動させて、前記歯車を供給リールのテープ供給方向または巻取リールのテープ巻取方向に回動させ、転写テープが転写ヘッドに向けて繰出されるようにし、かつ不使用時に、操作部材の回動操作を開放することにより、作動杆が前方に向けて移動して復帰しうるようにしてあるため、使用時における操作部材の回動操作により、供給リールまたは巻取リールを、テープ供給方向またはテープ巻取方向に効果的に回動させることができる。
【００２０】
請求項４記載の発明によると、不使用時に、操作部材の回動操作を開放することにより、供給リールのテープ供給方向または巻取リールのテープ巻取方向に対する逆回動を阻止するための逆転防止機構が作用するようにしてあるため、転写テープを常に転写ヘッド上に位置させることができる。
【００２１】
請求項５記載の発明によると、転写テープの交換作業を円滑に行うことができるとともに、前記（１）項と同様な効果を奏することができる。
【００２２】
請求項６記載の発明によると、操作部材の回動操作に、供給リールまたは巻取リールのいずれか一方を、転写テープが転写ヘッドに向けて繰出されるように回動可能に連係させてあるため、毎回の使用開始時、転写テープを転写ヘッドに向けて繰り出すことができ、転写ヘッドにおける転写テープの塗膜切れによる被転写面への非転写部の発生を効果的に防止することができるとともに、空滑りをなくすことができる。
【００２３】
請求項７記載の発明によると、転写ヘッドに、使用時における操作部材の回動操作に伴う被転写面への下向きの負荷に対して、転写ヘッドが弾性的に応動しうるためのクッション機構を付与してあるため、被転写面に対する転写ヘッドの過度の負荷を吸収することができるとともに、被転写面からの浮き上がりを防止することができ、転写作業を安定して行うことができる。
【発明を実施するための最良の形態】
【００２４】
以下、本発明の実施形態を、添付図面を参照して説明する。
図１は、本発明の第１実施形態における塗膜転写具の使用状態を示す斜視図、図２は、非転写時における塗膜転写具の縦断面図、図３は、同じく、転写時における塗膜転写具の縦断面図である。
【００２５】
なお、以下の説明において、図１に示すように、左下から右上に至る方向を「前後方向」、右下から左上に至る方向を「左右方向」とする。
【００２６】
本発明の塗膜転写具は、図１および図２に示すように、ＡＢＳ樹脂等の合成樹脂製からなるケース本体１を備えるとともに、このケース本体１は、底面１ａが紙などの被転写面Ｐに対して易滑性の平坦な摺動面をなすようにして、掌の中に抱持可能なマウス型の外周形状を有する。
この場合、「易滑性の平坦な摺動面」とは、本来の平坦な面のみならず、平坦な面に部分的に凹部を設けて、摩擦抵抗を減少させ、摺動を一層容易にした形態のものも含む。
また、「マウス型の外周形状」とは、使用の際に、ケース本体１を掌の中に抱持して、被転写面Ｐ上を所望の方向に容易に摺動させうるようなケース外周形状を称す。
【００２７】
ケース本体１内には、転写テープ２Ａを巻回した供給リール３が軸４ａを介して装填された第１歯車４と、この第１歯車４に互いに噛合し、かつ転写後における塗膜剥離後の転写テープ２Ｂを巻き取る巻取リール５が軸６ａを介して装填された第２歯車６と、ケース本体１の前端開口７を形成する左右の側板前端８、８間に左右方向を向く水平軸９の軸回りに回動自在に軸支して取り付けられたヘッド部材１０とからなる転写機構が備えられている。
【００２８】
なお、図示の実施例では、供給リール３用の第１歯車４と、巻取リール５用の第２歯車６とを、互いに直接的に噛合させたが、本明細書における「互いに噛合された供給リール３用の第１歯車４と、巻取リール５用の第２歯車６」とは、中間歯車を介して、前記の第１歯車４と第２歯車６が間接的に噛合する場合をも含めて指称する。
【００２９】
ヘッド部材１０は、ケース本体１の前端開口７から前方に向けて突出しうるように水平軸９の軸回りに回動可能に軸支されて取り付けられ、かつ前端１１ａが尖状部をなすとともに、後端１１ｂが摺接辺をなす側面視三角形状の左右１対のヘッド側板１１、１１と、これら左右のヘッド側板１１、１１間を連結する連結板１２と、左右のヘッド側板１１、１１間の前端１１ａに、左右方向を向く水平軸１３の軸回りに回転自在に軸支されたローラ状の転写ヘッド１４とにより構成されている。
転写ヘッド１４は、左右のヘッド側板１１、１１の下端から露出させてなるとともに、ヘッド部材１０の回動により、上下しうるようになっている。
【００３０】
水平軸９には、コイルばね１５が巻装されており、不使用時には、転写ヘッド１４が、被転写面である紙面Ｐから浮上した状態に弾性復帰しうる方向に、ヘッド部材１０の転写ヘッド１４が上向きに移動して回動復帰しうるように、時計回りに常時付勢されている。
【００３１】
ケース本体１内の前部には、左右方向を向く水平軸１６の軸回りに、操作部材１７が回動可能に軸支されている。
この操作部材１７の上端部１７ａは、ケース本体１の前部上面から突出されており、下端の軸支部１７ｂには、下方に向けて延びる延出部１８が延設されている。
【００３２】
延出部１８は、ヘッド部材１０におけるヘッド側板１１の後端１１ｂの上部に後方から当接されて摺接可能になっているとともに、後面をストッパー軸１９に当接させることにより、操作部材１７の反時計回りの回動およびコイルばね１５の付勢力によるヘッド部材１０の時計回りの回動範囲が規制されるようになっている。
【００３３】
操作部材１７の上端部１７ａは、図３に実線矢印で示すように、水平軸１６の軸回りにおける時計回り、すなわち後方に向けて、コイルばね１５の付勢力に抗して回動操作され、延出部１８の外周端面１８ａを、ヘッド部材１０におけるヘッド側板１１の後端１１ｂに摺接させながら、時計回りに回動させることにより、ヘッド部材１０を反時計回りに回動させ、転写ヘッド１４が下向きに移動しうるようになっている。
これにより、使用時に、転写ヘッド１４が、紙面Ｐに対する浮上状態から、紙面Ｐ上に向けて当接され押圧されて、転写が可能となるようにしてある。
【００３４】
不使用時には、操作部材１７の回動操作を開放することにより、図２に示すように、コイルばね１５の付勢力によって、ヘッド部材１０を時計回りに回動させ、転写ヘッド１４が紙面Ｐから浮上した状態に復帰させると同時に、操作部材１７が反時計回りに回動復帰しうるようになっている。
【００３５】
操作部材１７には、図２に示すように、後方に延びる作動杆２０の前端が、左右方向を向く軸２１を介して枢着され、その後端に設けた送り爪部２０ａを供給リール３の第１歯車４の上部に噛合しうるように係合させてある。
【００３６】
作動杆２０は、図３に示すように、使用時に、操作部材１７を左右方向の軸回りに回動操作することにより、後方に向けて移動させて、第１歯車４を、供給リール３のテープ供給方向に押し込むようにして回動させるとともに、不使用時には、操作部材１７の回動操作を開放することにより、作動杆２０が前方に向けて移動して復帰しうるようになっている。
これにより、転写テープ２Ａを転写ヘッド１４に向けて繰出し、毎回の使用開始時に、紙面Ｐへの非転写部の発生を効果的に防止し、空滑りをなくしている。
【００３７】
第１歯車４の軸４ａには、ラチェット歯２２が同軸でもって設けられ、このラチェット歯２２には、前記ストッパー軸１９から後方に延びるラチェット爪２３が係止されている。
これにより、不使用時に、操作部材１７の回動操作を開放することにより、供給リール３のテープ供給方向に対する逆回動を阻止する逆転防止機構を構成している。
【００３８】
次に、本発明における塗膜転写具の操作手順を説明する。
使用開始時には、図１および図３に示すように、掌の中に抱持可能なマウス型の外周形状を有するケース本体１を、掌で包み込むようにして握り、人指し指で操作部材１７を時計回りに回動させて、ヘッド部材１０を下向きに回動させることにより、転写ヘッド１４が紙面Ｐ上に当接され押圧されるようにする。
これと同時に、作動杆２０は、操作部材１７の時計回りの回動操作に連動して後方に向けて移動し、その後端の送り爪部２０ａにより、第１歯車４を、供給リール３のテープ供給方向に押し込んで、ほぼ１ピッチの範囲でもって回動させることにより、供給リール３に巻回された転写テープ２Ａを、転写ヘッド１４に向けて繰り出させ、転写ヘッド１４の転写部位に転写テープ２Ａの塗膜が、常に位置しうるようになっている。
【００３９】
次いで、ケース本体１を、図３に示すように、塗膜の塗布方向である後方に向けて水平方向に摺動させることにより、転写テープ２Ａの塗膜を、紙面Ｐ上に転写させることができる。
このとき、ケース本体１の底面１ａが被転写面Ｐに対して易滑性の平坦な摺動面をなすことから、被転写面Ｐ上を安定して摺動させることが可能になる。
【００４０】
不使用時には、操作部材１７の回動操作を開放することにより、ヘッド部材１０は、コイルばね１５の付勢力により、図２に示すように、転写ヘッド１４が上向きに移動して紙面Ｐから浮上した状態となるように、時計回りに回動して復帰し、転写を中止することができるとともに、作動杆２０もまた、前方に移動して、元の位置に復帰する。
また、操作部材１７の回動操作を開放により、作動杆２０の前方への移動に対して、第１歯車４が反時計回りに逆回動しようとしても、ラチェット歯２２にラチェット爪２３が係止されているため、第１歯車４の逆転を防止することができる。
【００４１】
なお、上記第１実施形態において、操作部材１７の回動操作に連動する作動杆２０を、第１歯車４の上部に配置して噛合させたが、第１歯車４の下部または上下両部に配置して噛合させて、供給リール３に巻回された転写テープ２Ａを、ヘッド部材１０の転写ヘッド１４に向けて繰出すようにしてもよい。
【００４２】
図４は、本発明の第２実施形態における塗膜転写具の非転写時の縦断面図、図５は、同じく、要部分解斜視図である。
【００４３】
この第２実施形態では、前記第１実施形態におけるケース本体１を、図４および図５に示すように、左右に分離可能にしてカートリッジ収容ケース本体２４とし、このカートリッジ収容ケース本体２４を、後記する転写カートリッジ２９が着脱可能となるように構成するとともに、底面２４ａが被転写面Ｐに対して易滑性の平坦な摺動面をなすようにして、掌の中に抱持可能なマウス型の外周形状となっている。
【００４４】
カートリッジ収容ケース本体２４を構成するケース分離体２４Ａ、２４Ｂ内には、一方のケース分離体２４Ａの内面に、互いに噛合された供給リール用の装填軸２５ａを有する第１歯車２５と、巻取リール用の装填軸２６ａを有する第２歯車２６と、前端を開口させた前部上面に軸支され、かつ左右方向の軸回りに回動可能な操作部材２７とが設けられている。
【００４５】
操作部材２７には、その回動操作に連動する作動杆２８が設けられ、この作動杆２８の送り爪部２８ａが、第１歯車２５に噛合させて係合されるように組み付けられている。
この場合、作動杆２８に、送り爪部２８ａが常に第１歯車２５に噛合しうるような付勢手段や押え手段を設けてもよい。
【００４６】
ケース分離体２４Ａ、２４Ｂ内には、前記した第１歯車２５、第２歯車２６、操作部材２７および作動杆２８を除いて組立てられた転写カートリッジ２９が着脱可能に装填されている。
【００４７】
転写カートリッジ２９は、支持基板３０に、供給リール３１と巻取リール３２とをそれぞれ前後方向に対向させて回転自在に設け、これら供給リール３１と巻取リール３２とが、カートリッジ収容ケース本体２４における一方のケース分離体２４Ａの内面に設けた装填軸２５ａ、２６ａにそれぞれ装填されるようになっているとともに、支持基板３０の前端に、カートリッジ収容ケース本体２４の前端開口から外部に向け突出しうるように、前端に転写ヘッド３３が設けられたヘッド部材３４を組み付けて、操作部材２７の回動操作に連動しうるように装填される転写機構が備えられている。
【００４８】
すなわち、転写カートリッジ２９は、使用時に、操作部材２７の回動操作にヘッド部材３４が連動しうるように、カートリッジ収容ケース本体２４内に装填されて、転写ヘッド３３を下方に向けて変動させると同時に、供給リール３１を、転写テープ３５が転写ヘッド３３に向けて繰出されるように回動可能に連係させることにより、被転写面Ｐ上に塗膜を転写しうるようになっている。
【００４９】
なお、前記した各実施形態において、ケース本体１の底面１ａまたはカートリッジ収容ケース本体２４の底面２４ａを易滑性化するには、易滑性樹脂膜のコーティングを施すか、易滑性テープを貼着するか、あるいはコロ等の転動体を装着することにより行われる。
また、カートリッジ収容ケース本体２４を左右に分割し、これらケース分離体２４Ａ、２４Ｂを左右方向に分離可能に組み付けるようにしたが、左右のケース分離体２４Ａ、２４Ｂの下端を互いにヒンジ結合することにより、左右に開くようにして、転写カートリッジ２９を装填しうるようにしてもよい。
【００５０】
図６は、本発明の第３実施形態における塗膜転写具のヘッド部材を示す要部拡大縦断面図である。
【００５１】
この第３実施形態では、図６に示すように、ヘッド部材３６を、前半部３６Ａと後半部３６Ｂとに分離して、これら前後両半部３６Ａ、３６Ｂを左右方向の水平軸３７でもって回動自在に連結するとともに、ヘッド部材３６における前半部３６Ａの前端部３６ａには、左右方向を向く水平軸３８の軸回りに、ローラ状の転写ヘッド３９が回転自在に軸支されて、ヘッド部材３６の回動により上下しうるようになっている。
【００５２】
ヘッド部材３６の前後両半部３６Ａ、３６Ｂ間には、圧縮スプリング４０が設けられ、この圧縮スプリング４０のばね力により、前記前半部３６Ａを前方に向けて回動しうるように付勢されている。
これにより、転写ヘッド３９には、図６に矢印で示すように、使用時における操作部材４１の回動操作に伴って掛かる被転写面Ｐへの下向きの負荷に対して、ヘッド部材３６の前半部３６Ａが、圧縮スプリング４０のばね力に抗して、弾性的に応動しうるように時計回り方向に回動可能なクッション機構が付与され、使用時の転写ヘッド３９に掛かる被転写面Ｐに対する過度の負荷を吸収するとともに、被転写面Ｐからの浮き上がりを効果的に防止するようになっている。
【図面の簡単な説明】
【００５３】
【図１】本発明の第１実施形態における塗膜転写具の使用状態を示す斜視図である。
【図２】非転写時の縦断面図である。
【図３】同じく、転写時の縦断面図である。
【図４】本発明の第２実施形態における塗膜転写具の非転写時の縦断面図である。
【図５】同じく、要部分解斜視図である。
【図６】本発明の第３実施形態における塗膜転写具のヘッド部材を示す要部縦断面図である。
【符号の説明】
【００５４】
１    ケース本体
２Ａ  転写テープ
２Ｂ  塗膜剥離後の転写テープ
３    供給リール
４    第１歯車
５    巻取リール
６    第２歯車
７    前端開口
８    側板前端
９    水平軸
１０  ヘッド部材
１１  ヘッド側板
１１ａ  前端
１１ｂ  後端
１２  連結板
１３  水平軸
１４  転写ヘッド
１５  コイルばね
１６  水平軸
１７  操作部材
１７ａ  上端部
１７ｂ  軸支部
１８  延出部
１８ａ  外周端面
１９  ストッパ軸
２０  作動杆
２０ａ  送り爪部
２１  軸
２２  ラチェット歯
２３  ラチェット爪
２４  カートリッジ収容ケース本体
２４Ａ、２４Ｂ  ケース分離体
２４ａ  底面
２５  第１歯車
２５ａ  供給リール用装填軸
２６  第２歯車
２６ａ  巻取リール用装填軸
２７  操作部材
２８  作動杆
２８ａ  送り爪部
２９  転写カートリッジ
３０  支持基板
３１  供給リール
３２  巻取リール
３３  転写ヘッド
３４  ヘッド部材
３５  転写テープ
３６  ヘッド部材
３６Ａ  前半部
３６Ｂ  後半部
３６ａ  前端部
３７  軸
３８  水平軸
３９  転写ヘッド
４０  圧縮スプリング
４１  操作部材
Ｐ    紙面（被転写面）
【図１】
2009255330.tif 000003
【図２】
2009255330.tif 000004
【図３】
2009255330.tif 000005
【図４】
2009255330.tif 000006
【図５】
2009255330.tif 000007
【図６】
2009255330.tif 000008